(57)【要約】【課題】  電池ケースに収納する電池の着脱の作業性を低下させることなく電池ケース内における電池の移動による瞬断を防止する電池の固定構造を提供する。【解決手段】  電池ケース（バッテリグリップ）１０内に電池Ｄ３を収納して電池の電極に接片１３１〜１３３を電気接触させる電池収納構造において、電池ケースに基端部が固定され、先端部が引張されたときに電池の周面に巻き付くループ状をした帯板からなる締結ベルト１５を備える。締結ベルト１５で電池Ｄ３を締め付けることで、締結ベルトと電池側面との間に生じる摩擦力によって電池の移動を防止する。接片のバネ性が弱くても衝撃や振動によって電池が電池ケース内で移動されることがなく、電池の着脱性を低下することなく電池の瞬断を確実に防止する。【選択図】  図３
2006221997.tif 000002
【特許請求の範囲】
【請求項１】
電池ケース内に電池を収納し、当該電池ケースに設けた接片に前記電池の電極を電気接触させる構成の電池収納構造において、前記電池ケースに一端部が固定され、他端部が引張されたときに前記電池の周面に巻き付くループ状をした帯板からなる締結ベルトを備えることを特徴とする電池の固定構造。
【請求項２】
前記締結ベルトの他端部に連結された締結軸と、前記締結軸を軸転するための回動機構を備え、前記回動機構は前記締結軸を一方向に軸転したときに前記締結ベルトの他端部を巻き取って引張状態とし、反対方向に軸転したときに前記締結ベルトの他端部を巻き戻すように構成されていることを特徴とする請求項１に記載の電池の固定構造。
【請求項３】
前記締結ベルトは長手方向の他方の端部側が一方の端部側よりも幅広に形成され、当該他方の端部側には前記一方の端部側を挿通可能な開口溝が設けられ、前記一方の端部側が前記開口溝を挿通されてループ状に構成されていることを特徴とする請求項２に記載の電池の固定構造。
【請求項４】
前記締結ベルトの一端部には締結ベルトを板厚方向に曲げ加工して当該締結ベルトの長手方向にバネ性を付与するための緩衝部が設けられていることを特徴とする請求項３に記載の電池の固定構造。
【請求項５】
前記回動機構は手操作により回動される締め付けノブを備え、当該締め付けノブの回動操作により前記締結軸を軸転させるように構成されていることを特徴とする請求項１ないし４のいずれかに記載の電池の固定構造。
【請求項６】
前記回動機構には前記締結軸が反対方向に軸転することを係止する係止手段が設けられ、前記係止手段は前記締め付けノブが前記締結軸を反対方向に軸転させる方向に回動操作されたときに前記係止手段による係止を解除するように構成されていることを特徴とする請求項５に記載の電池の固定構造。
【請求項７】
前記係止手段は前記締め付けノブと一体的に回動可能なラチェット歯車と、当該ラチェット歯車に噛合してその回動を係止する係止爪と、当該係止爪に連結され、前記締め付けノブと回転方向に摩擦係合されて当該締め付けノブの回動に伴って前記係止爪を前記ラチェット歯車との係合から解除するのに必要な角度範囲で揺動可能なアームとで構成されていることを特徴とする請求項６に記載の電池の固定構造。
【請求項８】
前記電池収納構造はカメラの三脚雌ネジを利用してカメラに取着されるバッテリグリップとして構成され、前記締め付けノブは当該バッテリグリップを前記カメラに取着させる三脚雄ネジとして構成されていることを特徴とする請求項１ないし７のいずれかに記載の電池の固定構造。
【請求項９】
前記電池は長さ方向の両端部に電極を有する単３形電池で代表される単形電池であり、当該単形電池の長さ方向の一部において前記締結ベルトでの締結を行う構成であることを特徴とする請求項８に記載の電池の固定構造。
【発明の詳細な説明】
【技術分野】
【０００１】
本発明は電池ケース内に電池を固定する構造に関し、特に衝撃により電池が移動して電池接片との接触が瞬断することを防止した固定構造に関するものである。
【背景技術】
【０００２】
近年の携帯電子機器やカメラ等の電池を電源とする電子機器では、電源スイッチをオンした状態で電池ケース内に内装した電池の電気的な接続が断されると電子回路がリセットされてしまい、特にカメラではメモリカードに撮影データ等を書き込み中に電源が断されると撮影データが破壊されてしまう。そのため、この種の電子機器では電源スイッチがオンされているときには電池を交換しないように注意書がなされるとともに、誤って電源スイッチをオンしたままで電池を交換しようとして電池ケースの蓋を開けたときには電源スイッチを強制的にオフするような対策が施されている。
【０００３】
単３形電池や単４形電池等のような円柱型をしてその両端に正負の電極を有する単形電池を使用する電子機器の電池ケースは、正負の電極にそれぞれバネ性をもって接触する接片を設け、これら接片のバネ力で正負の各電極に電気的な接触を行うと同時に、両接片のバネ力によって単型電池を保持する構成が採用されている。このような電池ケースでは、電池は長手方向の両端の電極において接片のバネ性によって弾性支持された状態にあるため、接片のバネ力が弱いと接片と電池の電極との接触が不安定なものとなり、外部から加えられる衝撃や振動によって電池が移動し、接片との接触が瞬断するおそれがある。一方、接片のバネ力を強くすると電池を電池ケース内に装填する際に大きな力が必要となり着脱が困難になる。また、接片のバネ力を強くした場合でも、外部からの衝撃の大きさによってはバネ力以上の加速度を受けて電池が移動してしまい瞬断を確実に避けることは困難である。
【０００４】
この電池の瞬断の問題に対し、特許文献１では、電池と接触する湾曲した接触部をもつ複数の独立した端子（接片）を設け、各端子はそれぞれ接触部を電池に押圧する独立の付勢部を備える構成としている。また、一方のバネ常数を他方（反対側）のバネ常数よりも大きくした構成としている。このようにすることで、端子は電池の動きに追従して、各端子での電気接触を確保するというものである。
【特許文献１】特開２００４−８７１３４号公報
【発明の開示】
【発明が解決しようとする課題】
【０００５】
特許文献１の技術は、電池の電極に対して複数の端子が独立して接触する構成ではあるが、基本的には前述した従来の電池ケースの構造と同様に端子のバネ力に依存して電極との電気接触を行うものであるので、衝撃等によって電池に生じる加速度の大きさによっては端子との接触断を確実に防止することは困難である。特に、このような構成を単３形電池を電源とするカメラの電池ケース等に適用した場合に、外部から大きな衝撃や振動が加えられたときには単３形電池に生じる加速度が極めて大きなものになることは本発明者の実験によって確認されており、このような加速度が生じたときには電池は端子のバネ変形の範囲以上に移動してしまい、移動方向と反対側の端子での瞬断が発生する。これを防止するために、各独立した端子のバネ力を極めて強くした場合には、前述のように電池の着脱作業性が悪くなる。特に、電池を電池ケース内にスライドさせながら収納する構造の電池ケースでは、電池の一方の電極を対応する一方の接片に当接させてこれを弾性変形させながら電池を所定箇所に装填させる作業が必要であり、この際の弾性変形力が極めて大きくなり、電池の収納が困難なものになる。電池を電池ケースから取り出すときも同様であり、電池の取り出しが極めて困難なものになる。
【０００６】
また、電池ケースの蓋側にゴム材やスポンジ材等の弾性材を配設しておき、蓋を閉じたときに弾性材で電池の側面を押圧して電池を固定する構造も提案されているが、この構造は主に電池ケース内において電池が接片間から側方に外れることを防止する、いわゆるガタ防止のための構造であり、電池が長さ方向に移動することを抑制する上では多少の効果はあるが、電池に対する押圧力に大きなものを得ることは困難であり、外部からの衝撃等による電池の移動を有効に防止して電池の瞬断を確実に防止することは困難である。
【０００７】
本発明の目的は、電池の着脱の作業性を低下させることなく電池の瞬断を確実に防止することを可能にした電池の固定構造を提供するものである。
【課題を解決するための手段】
【０００８】
本発明の電池の固定構造は、電池ケース内に電池を収納し、電池ケースに設けた接片に電池の電極を電気接触させる構成の電池収納構造において、電池ケースに一端部が固定され、他端部が引張されたときに電池の周面に巻き付くループ状をした帯板からなる締結ベルトを備えることを特徴とする。固定構造は締結ベルトの他端部に連結された締結軸と、締結軸を軸転するための回動機構を備え、回動機構は締結軸を一方向に軸転したときに締結ベルトの他端部を巻き取って引張状態とし、反対方向に軸転したときに締結ベルトの他端部を巻き戻すように構成される。
【発明の効果】
【０００９】
本発明によれば、ループ状をした帯板からなる締結ベルトを電池の周面に巻き付けて締め付けることで、締結ベルトは板厚方向に追従変形して電池の周面に対する密接性が高くなり、締結ベルトと電池側面との間に生じる摩擦力が増大し、締結ベルトの幅方向、すなわち電池の長手方向への移動を防止することができる。そのため、電池の電極に接触する接片のバネ性が弱くても外部の衝撃や振動によっても電池が電池ケース内で移動されることがなく、電池ケースへの電池の着脱の作業性を低下させることがないとともに電池の瞬断を確実に防止することができる。
【発明を実施するための最良の形態】
【００１０】
締結ベルトは長手方向の他方の端部側が一方の端部側よりも幅広に形成され、当該他方の端部側には一方の端部側を挿通可能な開口溝が設けられ、一方の端部側が前記開口溝を挿通されてループ状に構成することで、締結ベルトを締め付けたときにもベルト幅方向に対称な締結力を生じさせ、電池の周面に対して安定した状態で締め付けることが可能になる。また、締結ベルトの一端部には締結ベルトを板厚方向に曲げ加工して当該締結ベルトの長手方向にバネ性を付与するための緩衝部が設けられることで、締結力が強過ぎる場合、あるいは締結力が弱い場合でも緩衝部でのバネ作用によって電池を適切に締め付けることが可能になる。
【００１１】
回動機構は手操作により回動される締め付けノブを備え、当該締め付けノブの回動操作により前記締結軸を軸転させるように構成される。また、回動機構には締結軸が反対方向に軸転することを係止する係止手段が設けられ、係止手段は締め付けノブが締結軸を反対方向に軸転させる方向に回動操作されたときに係止手段による係止を解除するように構成されるので、締め付けノブの手操作によって締結ベルトによる電池の締め付けとその解除が可能になる。
【００１２】
本発明の電池の固定構造が適用される電池収納構造は、カメラの三脚雌ネジを利用してカメラに取着されるバッテリグリップとして構成されることが好ましく、この場合に締め付けノブは当該バッテリグリップをカメラに取着させる三脚雄ネジとして構成されることが好ましい。また、電池は長さ方向の両端部に電極を有する単３形電池で代表される単形電池であり、当該単形電池の長さ方向の一部において締結ベルトでの締結を行う構成とすることが好ましい。
【実施例１】
【００１３】
次に、本発明の実施例を図面を参照して説明する。図１は本発明の電池の固定構造を電池ケースとしてレンズ交換式のデジタル一眼レフカメラのバッテリグリップに適用した実施例１の概略斜視図である。カメラボディ１は前面に図１には表れない撮影レンズを装着するためのレンズマウント２が配設される。また、前記カメラボディ１の上面には回転レバー式のメインスイッチ３及び押下操作可能なレリーズボタン４と、各種撮影情報を表示するための撮影情報用ＬＣＤ（液晶表示装置）５と、各種撮影モードを設定するためのモード設定ダイヤル６が配設されている。前記カメラボディ１の底面にはそれぞれ透視的に示す三脚雌ネジ７とボディ側接続電極８が配設されており、カメラの補助電源としての電池を収納した電池ケース、ここではバッテリグリップ１０を当該三脚雌ネジ７を利用してカメラボディ１の底面に取着し、取着したときにバッテリグリップ１０の上面の長さ方向の一端部に露出された一対のバッテリ側接続電極１３４が前記カメラボディ１のボディ側接続電極８に接触して電気的に導通されるようになっている。このバッテリグリップ１０は前述のようにカメラボディ１に内蔵されている図には表れない電池に加えて電池容量を増大させるためのものであるとともに、バッテリグリップ１０を片手で保持することにより、カメラを縦位置に構えたときの撮影を容易にするために利用される。
【００１４】
前記バッテリグリップ１０は、ここでは４本の単３形電池Ｄ３が収納可能に構成されている。細長い箱状のグリップ本体１１内には内部基盤１２が固定されており、後述するようにこの内部基盤１２上に前記電池Ｄ３を収納させるための接片構造１３が組立てられ、かつ電池固定構造１４が組立てられている。前記グリップ本体１１は、上面の長さ方向の両側部に開口１１１が開設され、各開口１１１を通してグリップ本体１１内に電池Ｄ３を収納し、かつ取り出すことが可能にされている。また、当該グリップ本体１１の上面の長さ方向の中央に配置されている上面板１１２には三脚雄ネジ１７がバッテリグリップ１０の底面から上方に向けて貫通状態に突出されており、バッテリグリップ１０の底面に配設した大径の三脚締め付けノブ１８を回転操作することにより当該三脚雄ネジ１７を軸転し、前記カメラボディ１の底面の三脚雌ネジ７に螺合させてバッテリグリップ１０をカメラボディ１に一体的に取着させるようになっている。なお、前記上面の各開口１１１はバッテリグリップ１０に対して着脱可能な電池蓋１１３により閉じられるようになっている。
【００１５】
図２（ａ），（ｂ）は前記バッテリグリップ１０の上面板１１２を除去した平面図と縦断面図であり、図３は前記グリップ本体１１内の内部基盤１２に組立てられた接片構造１３と電池固定構造１４の一部を分解した斜視図である。内部基盤１２は前記バッテリグリップ１０のグリップ本体１１の形状に対応して細長い板状に形成され、その上面の長手方向の中央にボス１２１が立設され、このボス１２１を通して上下方向に貫通した挿通穴に前記三脚雄ネジ１７が挿通されている。この三脚雄ネジ１７の後述する軸部１７１の下端部には前記三脚締め付けノブ１８が一体に設けられている。
【００１６】
前記接片構造１３は前記内部基盤１２の上面に構成されている。前記電池Ｄ３を支承するための上縁が波型をした複数の、ここでは６個の電池受リブ１２２が内部基盤１２の長手方向の両端領域にそれぞれ所要の間隔で配設されており、バッテリグリップ１０内に収納される４個の電池Ｄ３は、長手方向に並ぶ３個の電池受リブ１２２上に縦横２×２の平面配列でそれぞれ載置された状態で支承される。また、前記内部基盤１２の上面の中央位置と長手方向の両端位置にはそれぞれバネ性のある金属板を曲げ加工した接片１３１，１３２，１３３がカシメ固定されており、前記電池受リブ１２２に支承される単３形電池Ｄ３の正電極と負電極にそれぞれバネ力をもって接触し、４個の単３形電池Ｄ３を直列状態に電気接続するようになっている。前記接片１３１〜１３３のうち、内部基盤１２の一端部に配設された接片１３３は互いに独立した一対の接片として構成されており、これら一対の接片１３３はそれぞれ前記グリップ本体１１の上面にまで延長され、当該上面に沿って曲げ形成された先端部は前記バッテリ側接続電極１３４として構成されている。
【００１７】
前記電池固定構造１４は、前記内部基盤１２の長手方向の中央部を挟んだ両側にそれぞれ３個ずつ配列された前記電池受リブ１２２のうち、中央寄りの各２つの電池受リブ１２２に挟まれる領域にそれぞれ配設された２つの締結ベルト１５と、当該締結ベルト１５を締結させるための回動機構１６とを備えている。前記２つの締結ベルト１５は両者とも同じ構成であり、それぞれ薄い鋼板を帯状に形成し、他端側部位１５１を一端側部位１５２よりも幅広に形成し、この他端側部位１５１に一端側部位１５２を挿通可能な開口溝１５３を形成したものである。また、前記締結ベルト１５の一端部１５４の近傍部位には板厚方向に三角山形に曲げ加工した緩衝部１５６が設けられている。この締結ベルト１５の一端部１５４を前記開口溝１５３を挿通させて板厚方向にループ状に曲げた上で、内部基盤１２の長手方向と直交する方向に向け、当該一端部１５４を前記内部基盤１２の上面の一側部にネジ１５７により固定し、他端部１５５を前記内部基盤１２の他側部に沿って延長した前記回動機構１６の締結軸１６１に連結している。
【００１８】
前記回動機構１６は前記三脚雄ネジ１７と三脚締め付けノブ１８に関連して構成されている。図４（ａ）は前記締結ベルト１５と回動機構１６を下側から見た図であり、図５はその要部の部分分解斜視図である。前記締結ベルト１５の他端部１５５に連結されている前記締結軸１６１は前記内部基盤１２の一側に一体形成した軸受片１２３によって軸転可能に軸支持されており、この締結軸１６１のほぼ中央位置には傘歯車１６２が一体に固定されている。この締結軸１６１は軸転されたときには、前記各締結ベルト１５の他端部１５５を軸に巻き付け、締結ベルト１５のループを縮径させることが可能とされている。また、前記三脚雄ネジ１７の軸部１７１の長さ方向の一部にはキー１７２が一体に形成され、このキー１７２に嵌合するキー穴１６３ａを有する大径の第１歯車１６３が前記軸部１７１を中心に回転可能に支持されている。前記第１歯車１６３は裏面に若干小径をした鋸歯を有するラチェット歯車１６４を一体に有している。また、前記第１歯車１６３には第２歯車１６５が噛合され、第２歯車１６５には第３歯車１６６が噛合されている。これら第２歯車１６５と第３歯車１６６は内部基盤１２に立設した固定軸１２４，１２５に回転可能に軸支されている。また、前記第３歯車１６６には前記傘歯車１６２に噛合する傘歯車１６７が一体に設けられている。これにより、前記三脚雄ネジ１７が軸転されると、キー結合した第１歯車１６３が回転され、さらに第２歯車１６５と第３歯車１６６が順次回転され、傘歯車１６２を回転して締結軸１６１を軸転させ、前記締結ベルト１５を巻き込むようになる。
【００１９】
また、前記三脚雄ネジ１７の軸部１７１の一部にはアーム１６８の基端部１６８ａが摩擦係合されている。この基端部１６８ａは円弧状に形成されて前記軸部１７１の周面に摺接され、三脚雄ネジ１７が軸転されたときには摩擦力によって同じ方向に回動しようとする力が伝えられる。その一方で、前記アーム１６８は前記グリップ本体１１の内底面に立設した細径円柱状の一対のストッパ１１４の間に配設されているので、前記摩擦係合によって三脚雄ネジ１７と共に回動される範囲はこれらストッバ１１４で挟まれる小角度範囲に制限されている。また、前記アーム１６８の先端部には回動係止爪１６９が揺動可能に支持されている。この回動係止爪１６９は前記ラチェット歯車１６４に噛合する爪部１６９ａを有しており、前記アーム１６８の先端部に設けた軸部１６８ｂにより揺動可能に支持されるとともに、当該アーム１６８との間に掛けわたしたねじりバネ１６０によって爪部１６９ａがラチェット歯車１６４に噛合する方向に付勢されているが、前記アーム１６８に立設した規制ピン１６８ｃにより当該ねじりバネ１６０の付勢力による回動方向への位置が規制されている。この回動位置はアーム１６８が図４の時計方向に揺動されるときに爪部１６９ａがラチェット歯車１６４に噛合するのに必要とされる位置である。
【００２０】
以上の構成のバッテリグリップ１０では、バッテリグリップ１０をカメラボディ１から外した状態では締結ベルト１５は図６（ａ）に示すように、緩められた状態にある。そのため、電池蓋１１３を外して電池Ｄ３を開口１１１から挿入し、電池受リブ１２２上に支持させる。この際には、中央の接片１３２を電池Ｄ３の一方の電極で押して弾性変形させながら各電池Ｄ３を電池受リブ１２２上に載置することで、当該接片の弾性復帰力によって両端側の接片１３１，１３３との間に電池Ｄ３を挟持させ、同時に正負の各電極はそれぞれ接片１３１〜１３３に電気接触される。しかる後、電池蓋１１３を閉じて開口１１１を閉塞することで電池の収納が行なわれることになり、この作業はこれまでのバッテリグリップ１０と同様である。
【００２１】
このようにして電池Ｄ３を収納したバッテリグリップ１０をカメラボディ１に取着するには、バッテリグリップ１０の上面をカメラボディ１の底面に当接させ、三脚締め付けノブ１８を図３，５の反時計方向（この方向は図４の時計方向であるので、以降は図４を基準に方向を説明する）に回転操作して三脚雄ネジ１７を三脚雌ネジ７に螺合させて行く。このとき、三脚雄ネジ１７のキー１７２と第１歯車１６３のキー穴１６３ａとが嵌合しているため、三脚雄ネジ１７の軸転と共に第１歯車１６３が時計方向に回転し、この回転力により第２歯車１６５と第３歯車１６６が回転され、さらに第３歯車１６６と一体の傘歯車１６７により傘歯車１６２と一体の締結軸１６１が軸転される。これにより、締結軸１６１は締結ベルト１５の他端部１５５を徐々に巻き付けて行き、締結ベルト１５は絞られてループ径が縮径されて行く。そして、図６（ｂ）に示すように、締結ベルト１５は並列配置された２本の単３形電池Ｄ２を一括して締結する。
【００２２】
このとき、締結ベルト１５は他端側部位１５１に設けた開口溝１５３内に一端側部位１５２が挿通されているので、電池Ｄ３に加える締め付け力は締結ベルト１５の幅方向に沿って一端側部位１５２の幅方向の両側に均等に生じることになり、電池Ｄ３の周面に対して安定した状態での面接触状態となる。また、締結ベルト１５は薄肉で板厚方向に追従変形が可能であるので締結した際における電池Ｄ３の周面に対する密接性が高くなり締結ベルト１５と電池Ｄ３の側面との間に生じる摩擦力が増大し、締結ベルト１５の幅方向、すなわち電池Ｄ３の長手方向への移動を確実に防止することが可能になる。
【００２３】
三脚雄ネジ１７がカメラボディ１の三脚雌ネジ７に完全に螺合してバッテリグリップ１０がカメラボディ１に固定される状態になると、三脚雄ネジ１７の軸方向の移動により軸部１７１のキー１７２が第１歯車１６３のキー穴１６３ａから抜け出る状態となる。この状態となる前の状態では、三脚雄ネジ１７の軸転に摩擦係合しているアーム１６８はストッパ１１４の角度範囲内で時計方向に小角度揺動し、ねじりバネ１６０によって回動係止爪１６９の爪部１６９ａがラチェット歯車１６４に噛合している。この状態は第１歯車１６３が三脚雄ネジ１７とのキー結合が解除された状態でも保持されるため、第１歯車１６３が反時計方向に回動することが係止され、締結ベルト１５による電池Ｄ３の締結状態は保持され、当該電池Ｄ３の移動が防止された状態が保持される。
【００２４】
このとき、第１歯車１６３の回転量が大きく、これが各歯車を介して締結軸１６１の軸転量につながり、締結ベルト１５の巻き付け量が大きくなると電池Ｄ３を締め付けた後も締結ベルト１５に締結軸１６１からの巻き込み力が加えられることになるが、図６（ｃ）に示すように、この巻き込み力によって締結ベルト１５の一端部１５４に設けられている緩衝部１５６が弾性変形して伸びるため、締結軸１６１に大きな負荷が加えられることはなく、同時に電池Ｄ３に過大な締結力が加えられることもない。また、第１歯車１６３の回転を止めたときに、ラチェット歯車１６４と回動係止爪１６９との噛合はラチェットのバックラッシュ分だけ逆方向に戻るため締結力が低下するおそれが生じるが、このときに締結ベルト１５の緩衝部１５６でのバネ復元力によって電池Ｄ３に対する締結力が保持される。
【００２５】
したがって、カメラボディ１にバッテリグリップ１０が固定された状態で、カメラに衝撃や振動が加えられても、４本の電池Ｄ３は締結ベルト１５によって締結されて内部基盤１２に強固に固定されているため、各電池Ｄ３が内部基盤１２上で長手方向に移動することはなく、正負の各電極とこれに接触している各接片１３１〜１３３との電気接触状態を保持し、電池Ｄ３における瞬断を確実に防止することができる。また、電池Ｄ３が繰り返しの衝撃や振動によって移動することによる接片１３１〜１３３のバネ変形によるへたりが生じることもなく、接片１３１〜１３３における電池電極への接触性が保持される。
【００２６】
バッテリグリップ１０をカメラボディ１から取り外すため締め付けノブ１８を反時計方向に回転し、三脚雄ネジ１７を軸転して三脚雌ネジ７との螺合から解除して行くと、当初は回動係止爪１６９がラチェット歯車１６４に噛合しているため第１の歯車１６３の反時計方向への回動が係止されているが、三脚雄ネジ１７の軸部１７１に摩擦係合しているアーム１６８がストッパ１１４で挟まれる角度範囲内で三脚雄ネジ１７と共に反時計方向に小角度だけ揺動したときに、図４（ｂ）に一部を示すように、回動係止爪１６９もアーム１６８と一体に回動し、爪部１６９ａがラェット歯車１６４との噛合から外れ、回動係止爪１６９によるラチェット歯車１６４の回動係止が解除される。さらに三脚雄ネジ１７が軸転されて下方向に移動され、三脚雄ネジ１７の軸部１７１のキー１７２が再び第１歯車１６３のキー穴１６３ａに嵌合すると第１歯車１６３が三脚雄ネジ１７と共に反時計方向に回動される。第１歯車１６３が反時計方向に回動されると、第２歯車１６５、第３歯車１６６が回動され、さらに２つの傘歯車１６７，１６２が順次回動されて締結軸１６１が反対方向に軸転され、締結ベルト１５を緩めて電池Ｄ３の締め付けを解除し、図６（ａ）の状態に復帰する。これにより、これまでの電池ケースの場合と同様に電池Ｄ３をバッテリグリップ１０から取り出すことが可能になる。
【００２７】
前記実施例では２本の電池を同時に締結して固定する例を示したが、１本の電池のみを締結して固定し、あるいは３本以上の電池を同時に締結して固定するように構成することも可能である。また、実施例では２本の締結ベルトを備えているが、１本の締結ベルト、あるいは３本以上の締結ベルトを備えてもよい。さらに、締結ベルトで締め付けて固定することが可能な電池であれば、単３形電池以外の電池であってもよい。
【００２８】
前記実施例では本発明をカメラのバッテリグリップに適用した例を示しているが、締結ベルトを締結するための回動機構を変形すれば、電池を電源とする各種電子機器の電池ケースに適用することが可能である。例えば、締結ベルトを単純にノブの回転操作によって締結するように構成してもよい。この場合、締結ベルトの締結状態を保持するためにはロック機構を設け、手操作により締結時にはロック状態とし、締結解除時にはロック解除するようにすればよい。
【図面の簡単な説明】
【００２９】
【図１】本発明をカメラのバッテリグリップに適用した実施例の概略斜視図である。
【図２】バッテリグリップの一部を除去した平面図と縦断面図である。
【図３】内部基盤と接片構造及び電池固定構造の斜視図である。
【図４】電池固定構造を下方から見た底面図である。
【図５】回動機構の要部の部分分解斜視図である。
【図６】締結ベルトによる電池の締め付け状態を示す図である。
【符号の説明】
【００３０】
１  カメラボディ
７  三脚雌ネジ
８  ボディ側接続電極
１０  バッテリグリップ
１１  グリップ本体
１２  内部基盤
１３  接片構造
１４  電池固定構造
１５  締結ベルト
１６  回動機構
１７  三脚雄ネジ
１８  三脚締め付けノブ
１６４  ラチェット歯車
１６９  回動係止爪
Ｄ３  単３形電池
【図１】
2006221997.tif 000003
【図２】
2006221997.tif 000004
【図３】
2006221997.tif 000005
【図４】
2006221997.tif 000006
【図５】
2006221997.tif 000007
【図６】
2006221997.tif 000008